【事件の表示】
　商願２０１７−１４６３６拒絶査定不服審判事件について、次のとおり審決する。
【結　論】
　原査定を取り消す。
　本願商標は、登録すべきものとする。
【理　由】
１　本願商標
　本願商標は、「ＣＲＥＳＩＬＯＮ」の欧文字を書してなり、第５類に属する願書に記載のとおりの商品を指定商品として、２０１６年８月１０日にアメリカ合衆国においてした商標登録出願に基づいてパリ条約第４条による優先権を主張し、平成２９年２月１０日に登録出願されたものである。
　そして、本願の指定商品については、当審における令和元年５月２０日付け及び同年９月１７日付け手続補正書により、最終的に、第５類「ガーゼ，粘着性又は非粘着性のパッド状ガーゼ，包帯，創傷用ドレッシング，微小な傷・裂傷・すり傷・出血性傷・刺創・外科創傷・皮膚移植又は火傷等の傷の処置のためのアプリケーター付きの局所創傷用ドレッシング，多量の出血に用いる吸収性止血剤，外科手術において多量の出血に用いる天然又は合成のポリマー材からなる止血材，生体や生体の生成物から作られた外科用又は臨床用の接着剤，人間又は動物の血液の凝固を促進するための薬剤，チューブ付きの注射器に充てんされた止血剤，傷を治療するために使われる顆粒状・粉状・液状・ゲル状・シート状又は繊維状に形成してなる止血剤，外傷治療用スポンジ，応急処置用キット，人間用及び動物用の薬剤（農薬に当たるものを除く。）」に補正されたものである。
２　原査定の拒絶の理由の要点
　原査定は、以下の（１）及び（２）のとおり認定、判断し、本願を拒絶したものである。
（１）本願の指定商品中、第５類において指定する「微小な傷・裂傷・すり傷・出血性傷・刺創・外科創傷・皮膚移植又は火傷等の傷の処置のための局所用ドレッシング及びそれを塗布又は注入するための注射器その他の器具，外科手術一般において多量の出血に用いる天然又は合成のポリマー材，人間又は動物の血液の凝固を促進するための化学剤及びその送達用の塗布器又は注入器，傷を治療するために使われる顆粒状・粉状・液状・ゲル状・シート状又は繊維状の止血剤」は、その内容及び範囲が不明確で、政令で定める商品及び役務の区分に従って商品を指定したものと認めることができない。したがって、本願は、商標法第６条第１項及び第２項の要件を具備しない。
（２）本願商標は、以下のアないしウの登録商標で、いずれも現に有効に存続しているものと同一又は類似であって、それら商標登録に係る指定商品と同一又は類似の商品について使用するものであるから、商標法第４条第１項第１１号に該当する。
　ア　登録第６８５９３９号（以下「引用商標１」という。）
　商標の構成　「ＣＨＲＹＳＲＯＮ」の欧文字及び「クリスロン」の片仮名を二段に横書きしてなるもの
指定商品　第１類「化学品，植物成長調整剤類，のり及び接着剤（事務用又は家庭用のものを除く。）」及び第５類「薬剤，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，歯科用材料」
　登録出願日　昭和３９年５月１５日
　設定登録日　昭和４０年９月２０日
　書換登録日　平成１７年７月２０日
　イ　登録第１５８４５７２号（以下「引用商標２」という。）
　商標の構成　「クリスロン」
　指定商品　第１類「化学品，植物成長調整剤類，のり及び接着剤（事務用又は家庭用のものを除く。）」及び第５類「薬剤，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，歯科用材料」
　登録出願日　昭和４８年１０月４日
　設定登録日　昭和５８年４月２７日
　書換登録日　平成１６年６月１６日
　ウ　登録第１５８４５７３号（以下「引用商標３」という。）
　商標の構成　「ＣＨＲＹＳＲＯＮ」
　指定商品　第１類「化学品，植物成長調整剤類，のり及び接着剤（事務用又は家庭用のものを除く。）」及び第５類「薬剤，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，歯科用材料」
　登録出願日　昭和４８年１０月４日
　設定登録日　昭和５８年４月２７日
　書換登録日　平成１６年６月１６日
　なお、上記引用商標１ないし引用商標３をまとめていうときは、「引用商標」という。
３　当審の判断
（１）商標法第６条第１項及び第２項について
　本願は、その指定商品について、前記１のとおりの商品に補正された結果、その商品の内容及び範囲が明確なものとなり、かつ、政令で定める商品及び役務の区分に従って指定したものとなった。
　したがって、本願が商標法第６条第１項及び第２項の要件を具備しないとして本願を拒絶した原査定の拒絶の理由は、解消した。
（２）商標法第４条第１項第１１号について
　ア　本願商標について
　本願商標は、前記１のとおり、「ＣＲＥＳＩＬＯＮ」の欧文字を書してなるところ、当該文字は、一般的な辞書等に採録された成語ではなく、特定の意味合いを想起させる語として知られているものとも認められないから、特定の観念を生じることのない造語とみるのが相当である。
　そして、上記のような特定の語義を有しない欧文字からなる商標については、我が国において広く親しまれている英語風又はローマ字風の発音をもって称呼されるのが一般的といえるから、本願商標は、その構成文字に相応して、「クレシロン」の称呼を生じ、特定の観念を生じないものである。
　イ　引用商標について
　引用商標１は、前記２（２）アのとおり、「ＣＨＲＹＳＲＯＮ」の欧文字及び「クリスロン」の片仮名を二段に横書きしてなるところ、これらの文字は、一般的な辞書等に採録された成語ではなく、特定の意味合いを想起させる語として知られているものとも認められないから、特定の観念を生じることのない造語とみるのが相当である。
　また、下段の片仮名部分は、上段の欧文字部分の読みを表したものと理解されるものであるから、引用商標１は、「クリスロン」の称呼を生じ、特定の観念を生じないものである。
　引用商標２は、前記２（２）イのとおり、「クリスロン」の片仮名を書してなるところ、当該文字は、一般的な辞書等に採録された成語ではなく、特定の意味合いを想起させる語として知られているものとも認められないから、特定の観念を生じることのない造語とみるのが相当である。
　したがって、引用商標２は、その構成文字に相応して、「クリスロン」の称呼を生じ、特定の観念を生じないものである。
　引用商標３は、前記２（２）ウのとおり、「ＣＨＲＹＳＲＯＮ」の欧文字を書してなるところ、当該文字は、一般的な辞書等に採録された成語ではなく、特定の意味合いを想起させる語として知られているものとも認められないから、特定の観念を生じることのない造語とみるのが相当である。
　そして、上記のような特定の語義を有しない欧文字からなる商標については、我が国において広く親しまれている英語風又はローマ字風の発音をもって称呼されるのが一般的といえるから、引用商標３は、その構成文字に相応して、「クリスロン」の称呼を生じ、特定の観念を生じないものである。
　ウ　本願商標と引用商標との類否について
　本願商標と引用商標とは、それぞれ、上記ア及びイのとおりの構成からなるところ、本願商標と引用商標１とは、その構成全体の比較はもとより、欧文字部分の比較においても構成文字を異にするものであり、本願商標と引用商標２とは、文字種が異なるものであり、本願商標と引用商標３とは、構成文字を異にするものであるから、本願商標と引用商標とは、外観上、明確に区別できるものであり、相紛れるおそれはない。
　また、本願商標から生じる「クレシロン」との称呼と引用商標から生じる「クリスロン」の称呼とを比較すると、共に５音という比較的短い音構成にあって、「レシ」と「リス」の２音を異にするものであるから、この差異が称呼全体に与える影響は大きく、本願商標と引用商標とは、称呼上、相紛れるおそれはない。
　さらに、本願商標と引用商標とは、いずれも特定の観念を生じないものであるから、観念上、比較することができない。
　してみれば、本願商標と引用商標とは、観念において比較できないとしても、外観及び称呼において相紛れるおそれのないものであるから、両商標が需要者に与える印象、記憶等を総合してみれば、両商標は、非類似の商標というのが相当である。
　エ　小括
　以上によれば、本願商標と引用商標とは、これらを同一又は類似する商品に使用しても、相紛れるおそれのない非類似の商標であるから、本願商標は、商標法第４条第１項第１１号に該当しない。
（３）まとめ
　上記（１）のとおり、本願が商標法第６条第１項及び第２項の要件を具備しないとして本願を拒絶した原査定の拒絶理由は解消した。
　また、上記（２）のとおり、本願商標は、商標法第４条第１項第１１号に該当するものではないから、これを理由として本願を拒絶した原査定は、取消しを免れない。
　その他、本願について拒絶の理由を発見しない。
　よって、結論のとおり審決する。